(57)【要約】【課題】ガイドリングを保持するフレームの環状保持部で負荷を緩やかに緩和することが可能な釣糸ガイドを提供する。【解決手段】本発明の釣糸ガイド１は、環状の保持部２ａと支脚部２ｂを有するフレーム２と、保持部２ａ内に取り付けたガイドリング１０とから構成される。そして、保持部２ａに切欠部４を形成し、切欠部４を形成する保持部２ａの両端部４ａを先細り形状に形成したことを特徴とする。【選択図】図１
2011067165.tif 000002
【特許請求の範囲】
【請求項１】
環状の保持部と支脚部を有するフレームと、前記保持部内に取り付けたガイドリングとからなる釣糸ガイドにおいて、
前記保持部に切欠部を形成し、前記切欠部を形成する保持部の両端部を先細り形状に形成したことを特徴とする釣糸ガイド。
【請求項２】
前記ガイドリングは、外周に沿ってフランジを有しており、前記保持部の両端部は、前記フランジに係合していることを特徴とする請求項１に記載の釣糸ガイド。
【請求項３】
前記保持部の両端部の先端は、前記フランジの周縁の径方向内側に位置していることを特徴とする請求項２に記載の釣糸ガイド。
【請求項４】
前記切欠部は、前記保持部の下側に形成したことを特徴とする請求項１から３のいずれか１項に記載の釣糸ガイド。
【発明の詳細な説明】
【技術分野】
【０００１】
本発明は、釣竿に取り付けて、リールから繰り出される釣糸を挿通案内する釣糸ガイドに関する。
【背景技術】
【０００２】
従来、外ガイド方式と称される釣竿の外周面には、軸方向に所定間隔をおいて、リールから繰り出される釣糸を絡まないように挿通案内する釣糸ガイドが装着されている。通常、釣糸ガイドは、環状の保持部と支脚部を有するフレームと、前記環状の保持部に取り付けたガイドリングによって構成されている。
【０００３】
例えば、特許文献１には、ガイドリングを溝付き金具にカシメ込み、これをはめ輪（支脚部を有するフレーム）に取り付けた構造の釣糸ガイドが開示されている。前記はめ輪は針金によって構成されており、このはめ輪の下部に切欠部が形成され、この部分ではめ輪を広げてガイドリング（溝付き金具）を取り付けるようになっている。
【先行技術文献】
【特許文献】
【０００４】
【特許文献１】実開平１−９９１５２号
【発明の概要】
【発明が解決しようとする課題】
【０００５】
上記した公知のガイドリングは、リング状のはめ輪の下部の一部を切欠くことで切欠部を形成しているが、切欠部を形成しているはめ輪の両端部は十分に弾性変形することができない。このため、釣糸の張力が掛かった場合など、支脚部の付け根が歪んで変形してしまう可能性がある。そして、このように支脚部の付け根が変形すると、ガイドリングが抜け落ちたり、糸絡みの原因になる可能性がある。
【０００６】
本発明は、上記した問題に着目してなされたものであり、ガイドリングを保持するフレームの環状の保持部で負荷を緩やかに緩和することが可能な釣糸ガイドを提供することを目的とする。
【課題を解決するための手段】
【０００７】
上記した目的を達成するために、本発明は、環状の保持部と支脚部を有するフレームと、前記保持部内に取り付けたガイドリングとからなる釣糸ガイドにおいて、前記保持部に切欠部を形成し、前記切欠部を形成する保持部の両端部を先細り形状に形成したことを特徴とする。
【０００８】
上記した構成の釣糸ガイドでは、切欠部を有する環状の保持部に対してガイドリングが装着される。前記切欠部を形成する保持部の両端部は、先細り形状に形成されていることから、環状の保持部が弾性変形し易くなり、釣糸の張力などによって負荷が作用しても、それを緩やかに緩和することができ、保持部の変形を防止することが可能となる。したがって、ガイドリングの抜け落ち、糸絡み等を効果的に抑制することが可能となる。
【発明の効果】
【０００９】
本発明によれば、ガイドリングを保持するフレームの環状保持部で負荷を緩やかに緩和することが可能となり、ガイドリングの抜け落ちや糸絡み等を効果的に抑制することが可能な釣糸ガイドが得られる。
【図面の簡単な説明】
【００１０】
【図１】本発明に係る釣糸ガイドの第１の実施形態を示す正面図。
【図２】図１に示す釣糸ガイドの側面図。
【図３】図１に示す釣糸ガイドの側面図、及び主要部の拡大図。
【図４】切欠部を形成する保持部の両端部の弾性変形を説明する図。
【図５】図４のＡ−Ａ線に沿った断面図。
【図６】本発明に係る釣糸ガイドの第２の実施形態を示すであり、側面図、及び主要部の拡大図。
【図７】本発明に係る釣糸ガイドの第３の実施形態を示す正面図。
【発明を実施するための形態】
【００１１】
以下、本発明に係る釣糸ガイドの実施形態について具体的に説明する。  
図１から図３は、本発明に係る釣糸ガイドの第１の実施形態を示す図であり、図１は正面図、図２は図１に示す釣糸ガイドの側面図、そして、図３は、図１に示す釣糸ガイドの側面図、及び主要部の拡大図である。
【００１２】
釣糸ガイド１は、環状の保持部２ａと支脚部２ｂを有するフレーム２と、保持部２ａ内に取り付けたガイドリング１０とによって構成されている。
【００１３】
前記フレーム２は、例えば、チタン（純Ｔｉ）や、公知の種々のチタン系合金、ステンレス等の金属で一体形成することが可能であり、上記のように、環状の保持部２ａと、この環状の保持部から下方に延びる支脚部２ｂとを有している。前記支脚部２ｂは、前記環状の保持部２ａを径方向両側で支持すると共に、それぞれの側部で下方に向けて互いに接近するように延設された一対の脚部２ｄと、一対の脚部２ｄの下端部において略水平方向に屈曲された足部２ｅとを有している。この足部２ｅは、その裏面側に釣竿に対する載置面２ｆが形成されており、この足部が、釣竿Ｒの外周面に糸巻き７等によって固定されるようになっている。なお、糸巻き７をした後、糸止め用の樹脂８が被着される。
【００１４】
前記フレーム２の環状の保持部２ａは、その厚みＬ２よりも大きな幅Ｌ１を有しており、内側にガイドリング１０を取り付ける円形の孔３を有している。また、環状の保持部２ａは、任意の位置（本実施形態では、図１に示すように下端位置とされる）で、所定の間隙を生じさせて切断されており、これにより外側から孔３に通じる切欠部４が形成されている。なお、切断された環状の保持部２ａの端部（爪状の突起部）のそれぞれを符号４ａで示しており、切欠部４は、両端部４ａの先端面４ｂが所定の間隙をおいて向かい合うことで形成されている。なお、フレーム２の保持部２ａの厚みＬ２は、釣糸ガイド１を釣竿に取り付けて釣糸が挿通される前後方向の厚み（長さ）であり、幅Ｌ１は環状の保持部２ａの径方向の幅（長さ）とする。
【００１５】
前記両端部４ａは、先細り形状に形成されている。ここで、先細り形状とは、図１で示すように、正面視で先端に移行するにしたがって幅が小さくなるもの、先端に移行するにしたがって厚みが小さくなるもの、先端に移行するにしたがって幅、厚みが共に小さくなるもの等、先端に移行するに連れて剛性が小さくなるように構成されたものであれば良く、本実施形態では、図１に示すように、それぞれの端部４ａを構成する下縁４ｃは、互いに略水平方向に延出し、その上縁が孔３を規定する円弧として構成されることで、先細り形状となっている。なお、本実施形態では、両端部４ａにおける上面４ｄ及び下面４ｅも、先端に移行するにしたがって互いに接近して厚みが小さくなっており、先細り形状となっている（図３の拡大図参照）。
【００１６】
前記環状の保持部２ａ及び支脚部２ｂを有するフレーム２は、金属板を所定の形状にプレス加工で打ち抜き、所定の部分を湾曲することで形成されている。したがって、フレーム２の各部は、プレス加工する金属板の上下面によって形成される部分と、切断面によって形成される部分があり、フレーム２の前後面（穂先側の面と手元側の面であり、例えば前記上面４ｄ及び下面４ｅも該当する）は、金属板の上下面によって形成され、フレーム２の側面の厚み部分は、金属板の切断面によって形成されている。
【００１７】
前記ガイドリング１０は、金属、セラミック等の硬質材料で形成された円形のリングであり、外周に沿って一対のフランジ１０ａ，１０ｂが形成され、これらのフランジ間に円周溝１０ｃを有する構造となっている。なお、本実施形態では、前記一対のフランジの内、一方（フランジ１０ｂ）は高く形成されている。
【００１８】
前記ガイドリング１０を保持部２ａに装着する場合、前記環状の保持部２ａに対し、図２の矢印で示すように、高さの低いフランジ１０ａ側からガイドリング１０を圧入する。保持部２ａは、上記したように、先細り形状に形成された両端部４ａによって、図４及び図５に示すように、容易にゆがむ（図４に示すように下方向Ｄ１、及び図５に示すように前後方向Ｄ２にゆがむ）ことができ、一対のフランジ１０ａ,１０ｂ間に形成された円周溝１０ｃを保持部２ａに対して容易に嵌合させることができる。この際、図３に示すように、円周溝１０ｃの内面側に保持部２ａが差し込まれて嵌合がなされるが、前記保持部２ａの両端部４ａは、先細り形状に形成されて弾性変形し易い構造であるため、他の部分よりも大きく変形して圧入作業が容易に行えるようになる。また、この圧入時には、円周溝１０ｃ又は保持部２ａの孔３の内面に接着剤を塗布しておき、これにより、ガイドリング１０を、保持部２ａに対して強固に固定することができる。
【００１９】
そして、上記したガイドリングの固定状態では、図１に示すように、保持部２ａの両端部４ａの先端は、フランジの周縁（高さが高いフランジ１０ｂ）の径方向内側に位置しており、フランジの外側に突出しないため、釣糸が引っ掛かることが防止され、糸切れ等が生じることが防止される。また、挿通した釣糸に張力が作用しても、保持部２ａの両端部４ａがその先端になるにしたがって大きく弾性変形しながら歪むため、フレーム自体が変形し難くなり、釣糸に対する張力を緩和して糸切れが防止されると共に、ガイドリング１０の脱落も効果的に抑制することが可能となる。
【００２０】
また、ガイドリング１０に、外周に沿ってフランジを形成しておき、保持部２ａの先細り形状になった両端部４ａを、フランジに係合させているため、保持部２ａからのガイドリング１０の脱落が防止され、ガイドリング１０に対する負荷でフランジによって確実に両端部４ａが挿圧されて弾性変形して釣糸に対する張力を緩和することとなる。
【００２１】
さらに、本実施形態では、切欠部４は、保持部２ａの下側に形成され、保持部２ａの上下中間位置より下側から延びる一対の支脚部２ｂの保持部２ａとの接合部の間に位置するため、この部分の保持部２ａが補強され、両端部４ａの弾性変形による保持部４ａの他の部分（上側）の変形を防止している。
【００２２】
図６は、本発明に係る釣糸ガイドの第２の実施形態を示すであり、側面図、及び主要部の拡大図である。
【００２３】
この実施形態では、フレーム２の支脚部２ｂは、上記した実施形態と同様に構成されているが、更に、釣竿の前後方向に延びる２つの脚部２ｄ´を有している。それぞれの脚部２ｄ´の下端部には、互いに離反する略水平方向に屈曲された足部２ｅ´が形成されており、それぞれの裏面の載置面２ｆ´が釣竿Ｒの外周面に載置されて固定されるようになっている。  
このように、フレーム２の構成については、適宜変形することが可能である。
【００２４】
また、本実施形におけるガイドリング１０は、片方のみにフランジ１０ｂを形成しており、保持部２ａの両端部４ａを弾性変形させてガイドリング１０のフランジ１０ｂを保持部２ａに当て付けて係合させている。そして、ガイドリング１０のフランジ１０ｂに、保持部２ａを係合させた後は、フランジが形成されていない側から接着剤９を周方向に沿って被着することで、ガイドリング１０を固定するようにしている。
【００２５】
さらに、本実施形態における保持部２ａの両端部４ａは、前記実施形態と同様、それぞれの端部４ａを構成する下縁４ｃが互いに略水平方向に延出し、その上縁が孔３を規定する円弧として構成されることで、先細り形状となっている。また、両端部４ａにおける下面４ｅを平坦状にして上面４ｄを、先端に移行するにしたがって下面４ｅに接近させることで厚みを小さくし先細り形状としている。
【００２６】
このように、保持部２ａの先端部４ａについては、先端に移行するに連れて剛性が小さくなるように構成されていれば、その先細りの具体的な形状については、適宜変形することが可能である。
【００２７】
図７は、本発明に係る釣糸ガイドの第３の実施形態を示す正面図である。  
この実施形態では、環状の保持部２ａに形成される端部（爪状の突起部）４ａ´は、その下縁４ｃ´が孔３に沿うように形成されており、端部４ａ´全体を、前記実施形態の端部４ａと比較してさらに幅狭に構成し、かつ先細り形状に形成している。
【００２８】
このような構成では、保持部２ａの端部４ａ´が、より弾性変形し易くなることから、ガイドリング１０の装着が容易に行えると共に、釣糸に対する張力をより緩和して糸切れの防止、及びガイドリング１０の脱落もより効果的に抑制することが可能となる。
【００２９】
以上、本発明の実施形態について説明したが、本発明は上記した実施形態に限定されることはなく、種々変形することが可能である。例えば、端部４ａ，４ａ´の厚みＬ２と幅Ｌ１は、厚みＬ２の方を大きくしても、幅Ｌ１を大きくしても、同じに形成しても良く、両端部４ａ，４ａ´は、間隙を設けずに重合させて切欠部４を形成したり、向かい合わせずにずらして位置するようにしても良い。また、釣糸ガイドを構成するフレームの構成材料や、フレーム部分の形状、大きさ等の構成については、それが用いられる釣竿や節部分（元竿、中竿、穂先竿）に応じて適宜変形することが可能である。
【符号の説明】
【００３０】
１  釣糸ガイド
２  フレーム
２ａ  保持部
２ｂ  支脚部
４  切欠部
４ａ，４ａ´  端部
１０  ガイドリング
１０ａ，１０ｂ  フランジ
Ｒ  釣竿
【図１】
2011067165.tif 000003
【図２】
2011067165.tif 000004
【図３】
2011067165.tif 000005
【図４】
2011067165.tif 000006
【図５】
2011067165.tif 000007
【図６】
2011067165.tif 000008
【図７】
2011067165.tif 000009